(57)【特許請求の範囲】
【請求項１】
前面枠の前面側に打球供給皿と下部貯留皿とを設けると共に、前面枠の裏面側に打球供給皿から導き出したパチンコ球を一個ずつ発射レールの発射部に供給する打球供給装置とを設け、
前記打球供給装置は、一端側に前記打球供給皿の整流部に合致する流入室と他端側に傾斜通路を介して仕切られる流出待機室と、前記発射レールの発射部位置に対応する供給口と、上下方向に回動して前記流入室の下面開口に臨む突上片と前記流出待機室の下面の開口に臨む保持爪片とを備え、
前記流入室の側壁の下部部分を切欠して球抜孔を開設すると共に、前記流入室に対応する背壁を切除して開口部を開設し、前記流入室の底部は前記開口部側に下り傾斜させ、
さらに前記球抜孔及び開口部を開閉自在にする閉止板を有する操作枠を設け、前記操作枠は常に付勢されて前記閉止板が前記球抜孔及び開口部を閉じる位置と球抜操作によって該球抜孔及び開口部を解放する位置とに移動自在に配設し、
球抜き操作を行うと前記開口部の側へ下り傾斜する底壁よって前記閉止板に寄りかかるパチンコ球が該閉止板とパチンコ球との間に生じる摩擦力によって動かされて前記球抜孔から落下するようにしたことを特徴とするパチンコ機。
【発明の詳細な説明】
【０００１】
【発明の属する技術分野】
本発明は、前面枠の前面に打球供給皿と下部貯留皿とを設けると共に、前面枠の裏面側に打球供給皿のパチンコ球を１個づつ発射レールの発射部に供給する打球供給装置を設けてなるパチンコ機に関し、特に、打球供給皿のパチンコ球を下部貯留皿に球抜きする際に打球供給装置内にパチンコ球が残らないようにすることができるようなパチンコ機に関するものである。
【０００２】
【従来の技術】
従来のパチンコ機においては、前面枠の前面側に打球供給皿と下部貯留皿とを設け、打球供給皿のパチンコ球を前面枠の裏面側に設けられた打球供給装置に導いて１個づつ発射レールの発射部に供給するようにされている。一方、打球供給皿の底部には球抜口が設けられると共に、該球抜口にスライド板が配置されており、該スライド板を移動させて球抜口を解放することにより打球供給皿のパチンコ球を下部貯留皿に抜き取ることができるようになっている。
【０００３】
【発明が解決しようとする課題】
ところで、上記したパチンコ機にあっては、打球供給皿のパチンコ球を底部の球抜口から直接に下部貯留皿へ抜き出すようにしているため、打球供給装置に導かれたパチンコ球は抜き取られないでそのまま残されてしまうという問題点があった。そして、打球供給装置内に残されたパチンコ球を抜き取るためには、例えばその残されたパチンコ球を遊技盤面に打ち込まないように弱い弾発力で発射して発射レールのファール口から下部貯留皿に戻して回収する等遊技者に面倒な操作を行わせる必要があった。
【０００４】
そこで本発明は、打球供給皿のパチンコ球を下部貯留皿に抜き取る際に打球供給装置内に残されたパチンコ球を同時に下部貯留皿へ回収することができるようにしたパチンコ機を提供することを目的としている。
【０００５】
【課題を解決するための手段】
上記目的を達成するために、本発明にかかるパチンコ機は、前面枠の前面側に打球供給皿と下部貯留皿とを設けると共に、前面枠の裏面側に打球供給皿から導き出したパチンコ球を一個ずつ発射レールの発射部に供給する打球供給装置とを設け、前記打球供給装置は、一端側に打球供給皿の整流部に合致する流入室と他端側に傾斜通路を介して仕切られる流出待機室と、発射レールの発射部位置に対応する供給口と、上下方向に回動して前記流入室の下面開口に臨む位置する突上片と流出待機室の下面の開口に臨む位置する保持爪片とを備え、前記流入室の底部を背壁側に傾斜させると共に、流入室の側壁の下部部分を切欠して球抜孔を設け、更に流入室に対応する背壁を切除して開口部を開設し、前記球抜孔を開閉自在にする閉止板を有する操作枠を常に付勢されて閉止板が球抜孔を閉じる位置と球抜操作によって球抜孔を解放する位置とに移動自在に配設してなる。
【０００６】
前記閉止板は前記球抜孔を開閉自在にする閉止片部と通路構成枠の背壁全面を覆って開口部を閉鎖する平板片部を有するＬ字形になり、平板片部の先端下部に供給口を避ける切欠部を有して形成し、流入部に入ったパチンコ球を平板片部に寄りかかった状態で底壁の上に静止して流入室に待機するようにするのが好ましい。
【０００７】
前記は打球供給皿の皿部の整流部の下流個所に球抜口を開設し、打球供給装置の流入室の底部を背壁側に傾斜させると共に、流入室の側壁の下部部分を切欠して球抜孔を設け、更に流入室に対応する背壁を切除して開口部を開設し、前記球抜口を開閉自在にする可動底板と前記球抜孔を開閉自在にする閉止板を有する操作枠を常に付勢されて可動底板と閉止板が球抜口と球抜孔を閉じる位置と球抜操作によって球抜口と球抜孔を解放する位置とに同調させて移動自在に配設するのが好ましい。
【０００８】
一方、前記球抜口の可動底板と前記球抜孔の閉止板を開閉自在にする操作枠は、上枠部、下枠部及び縦枠部を有して形成し、縦枠部を可動底板に突設する２本の軸子の間に挟み位置させて係合し、下枠部の先端に閉止板を一体に形成し、操作枠がコイルばねで付勢されている状態で球抜口と球抜孔を同時に閉位置に付勢し、操作枠の操作により球抜口と球抜孔とを同時に開位置させるように形成するのが好ましい。
【０００９】
【発明の実施の形態】
本発明の実施の形態を図面に基づいて説明する。図１は本発明に係るパチンコ機の正面図、図２はガラス枠及び前面枠を解放して示すパチンコ機の下部部分の斜視図を示し、１はパチンコ機の前面枠、２は前面枠１の後面に着脱自在に装着された遊技盤であって、該遊技盤２の右下側に発射レール３が装着されている。４は発射レール３の発射部５に先端が臨む打球杆、６は発射レール３の前面を覆う前面板であって、遊技盤２の上方部を覆うガラス扉枠７と共に前面枠１の一側に開閉自在に装着されている。前記前面板６の表面には打球供給皿８が設けられている。また、前面枠１の下部前面には打球供給皿８の余剰球を貯留する下部貯留皿９と操作ハンドル１０が設けられている。
【００１０】
前記打球供給皿８は、図３に示すように、パチンコ球を貯留する皿部１１と該皿部１１の上縁部分を囲う飾板部１２及び皿部１１の下方に延出する側板部１３とを有する。前記皿部１１は底部が一方に緩やかに下り傾斜しその傾斜下部にパチンコ球が一列に整列する整流部１４が形成されており、該整流部１４の下流端には可動底板１５により開閉自在にする球抜口１６が開設されている。前面板６には整流部１４の下流端位置にパチンコ球を前面板６の裏側に流出させる通孔１７が開設されている。また、打球供給皿８の側板部１３には整流部１４の球抜口１６に連通する球抜通路１８が設けられている。
【００１１】
一方、前面板６の裏面には、図４，図５に示す打球供給装置１９が組み込まれた通路構成枠２０が前記通孔１７を囲う状態に配設される。この通路構成枠２０は一側寄りに流入室２１を備え、他側寄りで且つ流入室２１より低所に流出待機室２２を備え、これら流入室２１と流出待機室２２を傾斜通路２３で仕切ることにより流入室２１に入ったパチンコ球が流出待機室２２へ流れないようにすると共に傾斜通路２３を流出待機室２２へ下り勾配を有して形成している。前記流入室２１の底壁２１ａは奥へ下り勾配を有し且つ開口２１ｂが穿設されている。前記流出待機室２２の底壁２２ａは開口２２ｂが穿設され且つ発射レール３側へ下り勾配を有してその傾斜下端に供給口２４が開設されている。
【００１２】
前記打球供給装置１９は、図４，図５及び図７乃至図９に示すように、突上片２５と該突上片２５に結合する保持爪片２６からなり、これら突上片２５と保持爪片２６とは軸孔２７を通路構成枠２０に備える軸受板２８，２８に軸２９により同軸に上下回動自在に設置している。前記突上片２５は側面が略ハンマー形状をしており垂直片部２５ａの側に重錘３０を有し、水平片部２５ｂの下面の突起２５ｃを軸受板２８，２８に差し渡した底板２８ａに当接させて水平位置を維持して設置され、この状態で、前記突上片２５は頭部を流入室２１の開口２１ｂに臨む下部位置に略面一の状態にあり、前記保持爪片２６も流出待機室２２の開口２２ｂに臨む下部位置に略面一の状態にある。また、前記突上片２５の頭部には流出待機室２２の側へ下り傾斜する斜面３１を有している。
【００１３】
なお、打球杆４が軸支された取付板３２には、図６に示すように、スライド板３３が上下摺動自在に取付けられ、このスライド板３３はその下端を打球杆４の下半部に接続し、上端を前記突上片２１の下部に臨むように設置され、打球杆４の打球動作に伴ってスライド板３３が上下作動して突上片２５の頭部を通路構成枠２０の流入室２１へ突上操作し、同時に保持爪片２６を流出待機室２２へ差し込み自在にしている。
【００１４】
本発明において、前記通路構成枠２０は、図４，図５に示すように、流入室２１の側壁の下部部分から底壁２１ａの一部部分にかけてパチンコ球が１個通過する球抜孔３４を開設すると共に、背壁の前記流入室２１に対応する箇所部分を切除して前記球抜孔３４と一連に連通する開口部３４ａを開設し、前記球抜孔３４と開口部３４ａとは、図６に示すように、閉止板３５により摺動自在にされる。また、前面板６の裏側には前記球抜孔３４から落下するパチンコ球を流下させて前記球抜通路１８へ流下案内する球抜樋３６が接続設置されている。
【００１５】
前記打球供給皿８の球抜口１６に設けた可動底板１５と前記通路構成枠２０の球抜孔３４及び開口部３４ａに設けた閉止板３５とは操作枠３７によって同時に開閉操作される。前記操作枠３７は上枠部３７ａ、下部枠３７ｂ及び上下枠部３７ａ，３７ｂを結ぶ縦枠部３７ｃを有してコ字状に形成し、下枠部３７ｂの先端に閉止板３５が一体に設置される。前記可動底板１５は、図３に示すように、２本の軸子３８，３８を所定間隔を置いて突設し、整流部１４から一体に垂下する側板部３９に有する長孔４０から前記２本の軸子３８，３８を突出させ、そして軸子３８，３８を前面板６のガイド長孔４０ａから前面板６の裏側へ突出させて該２本の軸子３８，３８の間に操作枠３７の縦枠部３７ｃを挟み位置させて設置する。
【００１６】
前面板６の前面側には打球供給皿８の上部にプレート４１が設置され、このプレート４１の裏面にはガイド孔４２を有する横長のボックス４３が設置され、該ボックス４３を前面板６に穿設する穴４４から前面板６の裏側へ差し込み設置している。前記ボックス４３内には操作ボタン４５を一体に有する摺動子４６とコイルばね４７が設けられ、前記摺動子４７には２本のボス４８がガイド孔４２から突出させて設けられている。前記操作枠３７は上枠部３７ａを連結枠片３７ｄを介して前記摺動子４６のボス４８にねじ４９によって固着設置され、コイルばね４７によって閉止板３５と可動底板１５を同時に閉鎖位置に付勢する。そして、操作ボタン４５をコイルばね４７に抗して移動することにより摺動底板１５と閉止板３５を球抜口１６と球抜孔３４を同時に解放する位置に移動させることができるようになっている。
【００１７】
なお、前記閉止板３５は、前記球抜孔３４を閉鎖自在にする閉止片部３５ａと該通路構成枠２０の背壁全面を覆って開口部３４ａを閉鎖する平板片部３５ｂを一体に有するＬ字形に形成すると共に、平板片部３５ｂの先端下部に供給口２４を避ける切欠部３５ｃを有して形成する。該切欠部３５ｃは図１１に示す開口部３４ａに位置したときにパチンコ球が落下できない程度に切除するのが好ましい。また、球抜樋３６は通路構成枠２０の側で、開口部３４ａによって広げられた側にずらして球抜孔３４に連通する位置に合致させて接続設置するようにするのが好ましい。
【００１８】
次に、このように構成したパチンコ機の作用を説明する。打球供給皿８の整流部１４の球抜口１６と通路構成枠２０の流入室２１の球抜孔３４及び開口部３４ａとは、図１０に示すように、通常では操作枠３７がコイルばね４７の付勢によつて可動底板１５及び閉止板３５を閉鎖位置にある。このような球抜口１６と球抜孔３４及び開口部３４ａが閉鎖された状態において、打球供給皿８に貯留されるパチンコ球は整流部１４によって一列に整列されながら前面板６の通孔１７から通路構成枠２０の流入室２１に流入する。そして、図７に示すように、流入室２１に入ったパチンコ球は傾斜通路２３に阻まれて底壁２１ａの下り勾配により平板片部３５ｂに寄りかかった状態で、底壁２１ａと突上片２５の頭部の上に静止して流入室２１に待機する。
【００１９】
この状態で打球杆４が図６鎖線のように発射準備位置に回動されると打球杆４の下半部により押し上げられてスライド板３３が上昇する。このスライド板３３の上端により突上片２５が押上げられ、図８に示すように、流入室２１内に位置しているパチンコ球が突上片２５により突上げられて頭部の斜面３１により傾斜通路２３の側へ転動し、そして傾斜通路２３を通って流出待機室２２へ送り出される。このとき、流出待機室２２内には、図９に示すように、保持爪片２６が突出しているためパチンコ球は該保持爪片２６によって一旦保持される。そして、打球杆４の発射動作に追従して図６実線のようにスライド板３３，突上片２５及び保持爪片２６が下降し、パチンコ球は供給口２４へ転動して供給口２４から発射レール３の発射部５に送り出される。一方、流入室２１には、突上片２５の側面で止められていたパチンコ球が突上片２５の下降に伴って流入室内２１に流入し、以後同じ動作が繰り返される。
【００２０】
しかして、打球供給皿８内のパチンコ球を下部貯留皿９へ抜き取るには、操作ボタン４５をコイルばね４７の付勢に抗して摺動させる。これによって、摺動子４６がボックス４３内を移動してガイド孔４２をボス４８を介して操作枠３７を図１１に示す方向に移動し、縦枠部３７ｃに係合する軸子３８により可動底板１５を移動させて、図１１に示すように球抜口１６を解放し、同時に閉止板３５も移動して球抜孔３４を解放する。球抜口１６を解放することにより、打球供給皿８内のパチンコ球は打球供給皿８の整流部１４の途中で球抜口１６から球抜通路１８へ流出し、前面板６に開設した流出口５０から遊技盤２前面のシュート５１を通って下部貯留皿９に排出される。また、通路構成枠２０の流入室２１にあるパチンコ球は、開口部３４ａの側へ下り傾斜する底壁２１ａにより平板片部３５ｂに寄りかかって静止し、このパチンコ球は平板片部３５ｂが摺動移動する際に平板片部３５ｂとパチンコ球の間に生じる摩擦力によって動かされて球抜孔３４から落下させて球抜樋３６へ流下して遊技盤２前面のシュート５１を通って下部貯留皿９に排出される。
【００２１】
そして、打球供給皿８内のパチンコ球を下部貯留皿９に抜き取った後、操作ボタン４５の摺動力を解除すると、コイルばね４７の付勢によって摺動子４６が元の状態に復帰するのに伴って操作枠３７も復帰位置し、図１０に示す位置に移動して球抜口１６及び球抜孔３４を閉じる。
【００２２】
【発明の効果】
本発明は上記のような構成であるから、打球供給皿のパチンコ球は該打球供給皿の整流部に設けた球抜口から抜き取るようにし、しかも、流入室の底部に止められるパチンコ球は、摺動子を移動させて球抜孔を解放したときに、流入室の底部に設けた開口部側の勾配により流下して打球供給装置にパチンコ球を一球も残さずに全てのパチンコ球を抜き取って下部貯留皿へ排出することができる。
【００２３】
従って、本発明において打球供給皿のパチンコ球を抜き取った後には打球供給装置内にはパチンコ球が残留することがないので、従来パチンコ機のように打球供給装置内に残留するパチンコ球を下部貯留皿に回収するための面倒な操作を不要とすることができ、遊技者のサービス向上を図れる等利点がある。
【図面の簡単な説明】
【図１】本発明にかかるパチンコ機の正面図である。
【図２】ガラス枠及び前面板を解放した状態を示すパチンコ機の下部斜視図である。
【図３】打球供給皿の分解斜視図である。
【図４】通路構成枠と打球供給装置を分離して示す斜視図である。
【図５】打球供給装置を組込んだ通路構成枠の斜視図である。
【図６】打球供給皿の整流部に開設した球抜口と打球供給装置と発射部との関係を示す要部断面図である。
【図７】打球供給装置の突上片が下降位置にある流入室の要部断面図である。
【図８】打球供給装置の突上片が突上位置にある流入室の要部断面図である。
【図９】打球供給装置の保持爪片が挿入位置にある流出待機室の要部断面図である。
【図１０】打球供給装置を組込んだ通路構成枠の球抜孔を閉鎖して示す断面図である。
【図１１】打球供給装置を組込んだ通路構成枠の球抜孔を解放して示す断面図である。
【図１２】打球供給装置を組込んだ通路構成枠の球抜孔を閉鎖して示す横断面図である。
【符号の説明】
１          前面枠
３          発射レール
４          打球杆
５          発射部
８          打球供給皿
９          下部貯留皿
１４        整流部
１５        可動底板
１６        球抜口
１９        打球供給装置
２０        通路構成枠
２１        流入室
２２        流出待機室
２３        傾斜通路
２４        供給口
２５        突上片
２６        保持爪片
３４        球抜孔
３４ａ      開口部
３５        閉止板
３５ａ      閉止片部
３５ｂ      平板片部
３５ｃ      切欠部
３６        球抜樋
３７        操作枠
３８        軸子
【図１】
0003955647.tif 000002
【図２】
0003955647.tif 000003
【図３】
0003955647.tif 000004
【図４】
0003955647.tif 000005
【図５】
0003955647.tif 000006
【図６】
0003955647.tif 000007
【図７】
0003955647.tif 000008
【図８】
0003955647.tif 000009
【図９】
0003955647.tif 000010
【図１０】
0003955647.tif 000011
【図１１】
0003955647.tif 000012
【図１２】
0003955647.tif 000013